(57)【要約】【課題】  茎葉の引き抜きとマルチフィルムの引き剥がしを並行して行えるようにし、さらに走行機体の軽量化及び低コスト化も図る。【解決手段】  左右の補助輪１ｂの後方に畝Ａの上に被せたマルチフィルムＦと畝Ａの間に挿入してマルチフィルムＦを浮かせる水平部を備えたＬ字状の浮かせ具３を設け、その浮かせ具３の後方位置に浮いたマルチフィルムＦを載せて走行機体１の後方へ誘導する送りローラー５を設ける。茎葉Ｐを引き抜いた後のマルチフィルムＦは、左右の浮かせ具３で浮かせられ、送りローラー５で走行機体１の後方へ誘導されて畝Ａの上に回収可能な状態に置かれる。【選択図】  図８
2014143985.tif 000002
【特許請求の範囲】
【請求項１】
走行機体の前方に備えた左右の補助輪又は接地部と後方に備えた左右の主輪で畑の畝に沿って走行する農作業機において、前記左右の補助輪又は接地部の後方に畝の上に被せたマルチフィルムと畝の間に挿入してマルチフィルムを浮かせる水平部を備えたＬ字状の浮かせ具を設け、その浮かせ具の後方位置に浮いたマルチフィルムを載せて走行機体の後方へ誘導する送りローラーを設けたことを特徴とする、農作業機。
【請求項２】
送りローラーに載せるマルチフィルムを左右の主輪の間隔より狭い幅に寄せる寄せガイドを設けた、請求項１記載の農作業機。
【請求項３】
走行機体の後部に送りローラーを左右で軸支する一対のアームを上下方向へ回動可能に且つ左右の主輪の間隔より狭い間隔に設け、その左右のアームを寄せガイドとし、その左右のアーム間に送りローラーを脱着可能に取り付け、その送りローラーの自重による下げを畝に接しない高さに規制するストッパを設けた、請求項２記載の農作業機。
【請求項４】
送りローラーが、左右のアームに対して脱着できる構造、又は片方のアームに対して脱着して起立できる構造、あるいは送りローラーの伸縮で脱着できる構造のいずれかである、請求項３記載の農作業機。
【請求項５】
送りローラーの脱着構造が、一方のアームに送りローラーの軸を抜き差しできる軸受穴を形成し、他方のアームに送りローラーの軸を上方から嵌合できる軸受凹部を形成し、その軸受凹部に軸の脱落を防止するバネ付きの押え片を解除可能に設けたものである、請求項４記載の農作業機。
【請求項６】
送りローラーの脱着構造が、筒状の中間ローラーに圧縮バネを挿入し、２体の外側ローラーを中間ローラーの左右から挿入し、外側ローラーを中間ローラーの方向へ押して圧縮バネを圧縮させた状態で脱着できるようにしたものである、請求項４記載の農作業機。
【請求項７】
農作業機が、茎葉を引き抜く引抜装置と、補助輪の前方に設けて茎葉の引き抜き時にマルチフィルムの浮き上がりを防止する押え部材とを備えた茎葉処理機である、請求項１〜６いずれか記載の農作業機。
【発明の詳細な説明】
【技術分野】
【０００１】
本発明は、馬鈴薯等の栽培時に保温用として畝の上に被せていたマルチフィルムの引き剥がしを行う農作業機に関する。
【背景技術】
【０００２】
従来、マルチフィルムの引き剥がし機能を付加した茎葉処理機が特許文献１に開示されている。この技術は、走行機体の側部に茎葉の引抜装置の駆動源で回転する巻取り装置を取り付けたことを特徴としており、茎葉を引き抜いた後、走行機体を畝の横に配置して巻取り装置にマルチフィルムの一端を結び付け、駆動を巻取り装置側に切り替えてマルチフィルムを畝から引き剥がしながら巻き取るようにしたものである。
【０００３】
ところで、前記技術では、茎葉の引き抜きとマルチフィルムの引き剥がしを別工程で行うから、作業に時間を要していた。また、巻取り装置は引抜装置の駆動源で作動する構造であるから、動力の切替機等が必要でコストがかかり、走行機体の重量も増加していた。
【先行技術文献】
【特許文献】
【０００４】
【特許文献１】特開２００１−７８５９０号公報
【発明の概要】
【発明が解決しようとする課題】
【０００５】
本発明が解決しようとする課題は、従来のこれらの問題点を解消し、茎葉の引き抜きとマルチフィルムの引き剥がしを並行して行えるようにし、さらに走行機体の軽量化及び低コスト化を図ることにある。
【課題を解決するための手段】
【０００６】
かかる課題を解決した本発明の構成は、
１）  走行機体の前方に備えた左右の補助輪又は接地部と後方に備えた左右の主輪で畑の畝に沿って走行する農作業機において、前記左右の補助輪又は接地部の後方に畝の上に被せたマルチフィルムと畝の間に挿入してマルチフィルムを浮かせる水平部を備えたＬ字状の浮かせ具を設け、その浮かせ具の後方位置に浮いたマルチフィルムを載せて走行機体の後方へ誘導する送りローラーを設けたことを特徴とする、農作業機
２）  送りローラーに載せるマルチフィルムを左右の主輪の間隔より狭い幅に寄せる寄せガイドを設けた、前記１）記載の農作業機
３）  走行機体の後部に送りローラーを左右で軸支する一対のアームを上下方向へ回動可能に且つ左右の主輪の間隔より狭い間隔に設け、その左右のアームを寄せガイドとし、その左右のアーム間に送りローラーを脱着可能に取り付け、その送りローラーの自重による下げを畝に接しない高さに規制するストッパを設けた、前記２）記載の農作業機
４）  送りローラーが、左右のアームに対して脱着できる構造、又は片方のアームに対して脱着して起立できる構造、あるいは送りローラーの伸縮で脱着できる構造のいずれかである、前記３）記載の農作業機
５）  送りローラーの脱着構造が、一方のアームに送りローラーの軸を抜き差しできる軸受穴を形成し、他方のアームに送りローラーの軸を上方から嵌合できる軸受凹部を形成し、その軸受凹部に軸の脱落を防止するバネ付きの押え片を解除可能に設けたものである、前記４）記載の農作業機
６）  送りローラーの脱着構造が、筒状の中間ローラーに圧縮バネを挿入し、２体の外側ローラーを中間ローラーの左右から挿入し、外側ローラーを中間ローラーの方向へ押して圧縮バネを圧縮させた状態で脱着できるようにしたものである、前記４）記載の農作業機
７）  農作業機が、茎葉を引き抜く引抜装置と、補助輪の前方に設けて茎葉の引き抜き時にマルチフィルムの浮き上がりを防止する押え部材とを備えた茎葉処理機である、前記１）〜６）いずれか記載の農作業機
にある。
【発明の効果】
【０００７】
本発明では、茎葉が引き抜かれた後のマルチフィルムと畝の間に左右の浮かせ具が挿入すると、走行機体の前進によってマルチフィルムが浮く。浮いたマルチフィルムは、送りローラーで走行機体の後方へ誘導されて畝の上に回収可能な状態に置かれていく。
【０００８】
このように、茎葉の引き抜きとマルチフィルムの引き剥がしが並行して行われるから、従来技術と比較して短時間で作業できるようになる。また、マルチフィルムの引き剥がしに必要な部材は駆動部分がなくて簡易な構造であるから、従来技術の茎葉処理機と比較して軽量化及び低コスト化を図ることができる。
【図面の簡単な説明】
【０００９】
【図１】実施例の茎葉処理機の側面図である。
【図２】実施例の浮かせ具の側面図である。
【図３】実施例の浮上り防止ガイドの側面図である。
【図４】実施例の浮上り防止ガイドの底面図である。
【図５】実施例の送りローラーの背面図である。
【図６】実施例の送りローラーの部分拡大図である。
【図７】実施例の送りローラーの断面図である。
【図８】実施例の茎葉処理機の使用状態を示す側面図である。
【図９】実施例のマルチフィルムの処理を示す平面図である。
【図１０】実施例の茎葉処理機のターンを示す説明図である。
【図１１】実施例の他の例の送りローラーの背面図である。
【発明を実施するための形態】
【００１０】
以下、本発明を実施するための形態を実施例と図面に基づいて具体的に説明する。
【実施例】
【００１１】
茎葉処理機を図１に示す。図中、Ａは畝、Ｆはマルチフィルム、Ｐは茎葉、１は走行機体、１ａは主輪、１ｂは補助輪、１ｃは茎葉Ｐの引き抜き時にマルチフィルムＦの浮き上がりを防止する押え部材、１ｄはエンジン、１ｅはハンドル、２は引抜装置、２ａは茎葉Ｐを走行機体１の中央側へ掻き込む掻込ベルト、２ｂは掻込ベルト２ａで掻き込まれた茎葉Ｐを畝Ａから引き抜いて上方へ搬送する引抜搬送ベルト、３は浮かせ具、４は浮上り防止ガイド、５は送りローラーである。走行機体１は、補助輪１ｂに代えて、土上を滑走できる板状又は棒状の接地部を備えた構造でもよい。
【００１２】
浮かせ具３は、図２に示すように爪先が水平に形成されたＬ字状で、上部に高さ調整用のボルト孔３ａが複数開口され、爪先の後方はマルチフィルムＦが上方へ誘導されやすいように曲面に形成されている。この浮かせ具３の上部が、引抜装置２の左右側方に備えた保持具３ｂにスライド可能に挿入されてボルト３ｃで固定されている。使用前は、マルチフィルムＦの両側の高さに応じて任意のボルト孔３ａを選択して爪先の高さを調整する。
【００１３】
浮上り防止ガイド４は、茎葉Ｐの引き抜き時にマルチフィルムＦの過剰な浮き上がりを抑えるもので、図３，４に示すように全体が棒状で、両端はマルチフィルムＦが引っ掛からないように斜めに折り曲げられ、その中間部に長孔を備えた取付板４ａを設けている。この２本の浮上り防止ガイド４が、引抜装置２の下方に支柱４ｂで吊下された取付板４ｃにボルト４ｄで水平に且つ畝Ａより高い位置に狭い間隔をおいて取り付けられている。使用前は、浮かせ具３の高さやマルチフィルムＦの寸法に応じてボルト４ｄを緩めて前後位置を調整する。
【００１４】
送りローラー５は、図５〜７に示すように両端に軸５ａが突設され、その軸５ａの途中が縮径されている。走行機体１の後部のフレーム１ｆには、一対のアーム５ｂが回転軸５ｃで上下方向へ回動可能に且つ左右の主輪１ａの間隔より狭い間隔に取り付けられ、一方のアーム５ｂの端部には軸５ａを抜き差しできる軸受穴５ｄが開口され、他方のアーム５ｂの端部には軸５ａを上方から嵌合できる軸受凹部５ｅが形成されている。その軸受凹部５ｅの位置には、軸５ａの脱落を防止するバネ５ｆ付きの押え片５ｇが解除可能に設けられている。回転軸５ｃには、走行機体１の底面と接触することでアーム５ｂの下方への回動を規制するボルト５ｈが設けられている。
【００１５】
この左右のアーム５ｂに送りローラー５を取り付けると、その自重でアーム５ｂが下がってボルト５ｈが走行機体１の底面に接触し、アーム５ｂの下がりが規制されて送りローラー５の高さが保持される。送りローラー５を持ち上げると、アーム５ｂは上方へ自由に回動できる。このボルト５ｈが送りローラー５の下げのストッパとなり、その突出量を変えることで様々な高さの畝Ａに合せて調整することができる。また、一対のアーム５ｂは、その間隔を左右の主輪１ａの間隔より狭くしたことで、走行機体１の下方を通過するマルチフィルムＦが主輪１ａに巻き込まないようにするための寄せガイドとなっている。
【００１６】
本実施例では、図８，９に示すように、畝Ａを跨ぐように走行機体１を畑に配置し、左右の浮かせ具３をマルチフィルムＦの両側の高さに合せて調整し、ボルト５ｈで送りローラー５を畝Ａに接しない高さに調整する。そして、エンジン１ｄを始動して作業者がハンドル１ｅを操作して走行させる。引抜装置２では、左右の掻込ベルト２ａが茎葉Ｐを走行機体１の中央側へ掻き込み、左右の引抜搬送ベルト２ｂで引き抜かれて上方へ搬送される。マルチフィルムＦは、茎葉Ｐの引き抜き時に押え部材１ｃで浮き上がりが防止される。
【００１７】
茎葉Ｐが引き抜かれた後のマルチフィルムＦと畝Ａの間には左右の浮かせ具３が挿入し、走行機体１の前進によってマルチフィルムＦが浮く。このとき、引き抜かれた茎葉ＰにマルチフィルムＦが付いて来て過剰に浮き上がろうとすることがあるが、浮上り防止ガイド４で抑えられ、引抜装置２への引っ掛かりや巻き込みが防止される。浮いたマルチフィルムＦは、最初のみ作業者が左右のアーム５ｂの間を通すか又は送りローラー５の片側を起立させて通し、送りローラー５の上に載せる。
【００１８】
その後、走行機体１の前進によって、浮かせ具３で浮いたマルチフィルムＦが浮かせ具３の垂直部と接しながら走行機体１の中央側へ送られて下方を通過し、送りローラー５で走行機体１の後方へ誘導されて畝Ａの上に回収可能な状態に置かれ、これらの工程が茎葉Ｐの引き抜きと並行して連続的に行われる。送りローラー５に載せられたマルチフィルムＦは、誘導中に左右へずれたり広がることがあるが、アーム５ｂと接触して外側へはみ出すことがなく、主輪１ａに巻き込むことはない。畝Ａに置かれたマルチフィルムＦは、茎葉Ｐの引き抜き作業後に作業者が手作業で容易に回収することができる。
【００１９】
隣の畝ＡのマルチフィルムＦを処理する際は、図１０に示すように、走行機体１の前方を上げた状態に傾けてターンさせるが、その時アーム５ｂは上方に対しては自由に回動できるから、送りローラー５が畝Ａと接触して持ち上げられる。これによって、送りローラー５が畝Ａと干渉することなく円滑にターンできる。その後、走行機体１の姿勢を元に戻すと、送りローラー５は自重で下がるが、ボルト５ｈで所定高さに保持され、再調整することなく直ぐに処理を再開できる。
【００２０】
以上説明したように、本実施例によれば、茎葉Ｐの引き抜きとマルチフィルムＦの引き剥がしが並行して行われるから、従来技術と比較して短時間で作業できるものとなっている。また、マルチフィルムＦの引き剥がしに必要な部材は駆動部分がなくて簡易な構造であるから、従来技術の茎葉処理機と比較して軽量化でき、低コストで製作できるものとなっている。
【００２１】
図１１に示すのは、本実施例の送りローラーの他の例である。この例の送りローラー５は、筒状の中間ローラー５ｉと、その中間ローラー５ｉに挿入した圧縮バネ５ｊと、中間ローラー５ｉの両側から挿入した軸５ａ付きの外側ローラー５ｋで構成され、圧縮バネ５ｊの伸び縮みで全体が伸縮可能な構造となっている。
【００２２】
取り付ける際は、外側ローラー５ｋを中間ローラー５ｉの方向へ押して圧縮バネ５ｊを圧縮させた状態で左右のアーム５ｂの間に配置し、外側ローラー５ｋを離して圧縮バネ５ｊの反発力で軸５ａをアーム５ｂに軸支する。取り外す際は、外側ローラー５ｋを中間ローラー５ｉの方向へ押して圧縮バネ５ｊを圧縮させて外す。その他、符号、構成、作用効果は実施例と同じである。
【産業上の利用可能性】
【００２３】
本発明の技術は、馬鈴薯の収穫に好適であるが、マルチフィルムを使用して栽培する農作物全般の収穫に応用できる。また、マルチフィルムの処理のみに使用しても良い。
【符号の説明】
【００２４】
Ａ    畝
Ｆ    マルチフィルム
Ｐ    茎葉
１    走行機体
１ａ  主輪
１ｂ  補助輪
１ｃ  押え部材
１ｄ  エンジン
１ｅ  ハンドル
１ｆ  フレーム
２    引抜装置
２ａ  掻込ベルト
２ｂ  引抜搬送ベルト
３    浮かせ具
３ａ  ボルト孔
３ｂ  保持具
３ｃ  ボルト
４    浮上り防止ガイド
４ａ  取付板
４ｂ  支柱
４ｃ  取付板
４ｄ  ボルト
５    送りローラー
５ａ  軸
５ｂ  アーム
５ｃ  回転軸
５ｄ  軸受穴
５ｅ  軸受凹部
５ｆ  バネ
５ｇ  押え片
５ｈ  ボルト
５ｉ  中間ローラー
５ｊ  圧縮バネ
５ｋ  外側ローラー
【図１】
2014143985.tif 000003
【図２】
2014143985.tif 000004
【図３】
2014143985.tif 000005
【図４】
2014143985.tif 000006
【図５】
2014143985.tif 000007
【図６】
2014143985.tif 000008
【図７】
2014143985.tif 000009
【図８】
2014143985.tif 000010
【図９】
2014143985.tif 000011
【図１０】
2014143985.tif 000012
【図１１】
2014143985.tif 000013